(57)【特許請求の範囲】
【請求項１】
入力光を増幅する前段光増幅部と、
前記前段光増幅部からの出力光を増幅する後段光増幅部と、
前記前段光増幅部からの出力光の前記後段光増幅部への入力を遮断して、前記後段光増幅部からの出力光を前記前段光増幅部へ折り返し入力する折り返し処理を行う折り返し処理部と、
を備え、
前記折り返し処理によって、前記後段光増幅部から、波長多重光の波長帯域で光パワーが低レベルで各波長の光パワーが平坦性を有する波長プロファイルを持つ自然放出光を発生させ、前記前段光増幅部により、前記波長多重光の波長帯域で前記平坦性を維持するゲインで前記自然放出光を増幅させる、
ことを特徴とする光伝送装置。
【請求項２】
前記折り返し処理部は、
他装置から送信されてきた信号光、または前記後段光増幅部の出力光のいずれかを前記前段光増幅部へ入力する第１のスイッチと、前記前段光増幅部からの出力光を前記後段光増幅部へ入力または遮断する第２のスイッチと、前記後段光増幅部の出力光を他装置へ送信または前記前段光増幅部へ送信する第３のスイッチとを含み、
前記折り返し処理時には、前記第１のスイッチは、前記後段光増幅部の出力光を前記前段光増幅部へ入力し、前記第２のスイッチは、前記前段光増幅部からの出力光の前記後段光増幅部への入力を遮断し、前記第３のスイッチは、前記後段光増幅部の出力光を前記前段光増幅部へ送信する、
ことを特徴とする請求項１記載の光伝送装置。
【請求項３】
波長多重信号光が前記前段光増幅部に入力した際、前記前段光増幅部で増幅された前記波長多重信号光を受信して波長分離を行う波長分離部をさらに備え、
前記波長分離部の動作確認時には、前記折り返し処理部による前記折り返し処理によって、前記前段光増幅部から出力された前記自然放出光が、前記波長分離部へ入力する、
ことを特徴とする請求項１記載の光伝送装置。
【請求項４】
上流から下流への光伝送を行う系に配置され、光増幅機能を有する上流側前段光増幅部と、
前記上流側前段光増幅部の後段に配置され、光増幅機能を有する上流側後段光増幅部と、
下流から上流への光伝送を行う系に配置され、光増幅機能を有する下流側前段光増幅部と、
前記下流側前段光増幅部の後段に配置され、光増幅機能を有する下流側後段光増幅部と、
前記上流側前段光増幅部からの出力光の前記上流側後段光増幅部への入力を遮断して、前記上流側後段光増幅部からの出力光を前記下流側前段光増幅部へ折り返し入力し、前記下流側前段光増幅部からの出力光の前記下流側後段光増幅部への入力を遮断して、前記下流側後段光増幅部からの出力光を前記上流側前段光増幅部へ折り返し入力する折り返し処理を行う折り返し処理部と、
を備え、
自然放出光の発生起点を前記上流側後段光増幅部とした場合の前記折り返し処理時には、前記上流側後段光増幅部から、波長多重光の波長帯域で光パワーが低レベルで各波長の光パワーが平坦性を有する波長プロファイルを持つ前記自然放出光を発生させ、前記下流側前段光増幅部により、前記波長多重光の波長帯域で前記平坦性を維持するゲインで前記自然放出光を増幅させ、
前記自然放出光の発生起点を前記下流側後段光増幅部とした場合の前記折り返し処理時には、前記下流側後段光増幅部から、前記波長多重光の波長帯域で光パワーが低レベルで各波長の光パワーが平坦性を有する波長プロファイルを持つ前記自然放出光を発生させ、前記上流側前段光増幅部により、前記波長多重光の波長帯域で前記平坦性を維持するゲインで前記自然放出光を増幅させる、
ことを特徴とする光伝送装置。
【請求項５】
前記折り返し処理部は、
上流から送信されてきた信号光、または前記下流側後段光増幅部の出力光のいずれかを前記上流側前段光増幅部へ入力する第１の上流側スイッチと、
前記上流側前段光増幅部からの出力光を前記上流側後段光増幅部へ入力または遮断する第２の上流側スイッチと、
前記上流側後段光増幅部の出力光を下流へ送信または前記下流側前段光増幅部へ送信する第３の上流側スイッチと、
下流から送信されてきた信号光、または前記上流側後段光増幅部の出力光のいずれかを前記下流側前段光増幅部へ入力する第１の下流側スイッチと、
前記下流側前段光増幅部からの出力光を前記下流側後段光増幅部へ入力または遮断する第２の下流側スイッチと、
前記下流側後段光増幅部の出力光を上流へ送信または前記上流側前段光増幅部へ送信する第３の下流側スイッチと、
を含むことを特徴とする請求項４記載の光伝送装置。
【請求項６】
前記自然放出光の発生起点を前記上流側後段光増幅部とした場合の前記折り返し処理時には、
前記第１の上流側スイッチは、前記下流側後段光増幅部の出力光を前記上流側前段光増幅部へ入力し、
前記第２の上流側スイッチは、前記上流側前段光増幅部からの出力光の前記上流側後段光増幅部への入力を遮断し、
前記第３の上流側スイッチは、前記上流側後段光増幅部の出力光を前記下流側前段光増幅部へ送信し、
前記第１の下流側スイッチは、前記上流側後段光増幅部の出力光を前記下流側前段光増幅部へ入力し、
前記第２の下流側スイッチは、前記下流側前段光増幅部からの出力光を前記下流側後段光増幅部へ入力し、
前記第３の下流側スイッチは、前記下流側後段光増幅部の出力光を前記上流側前段光増幅部へ入力する、
ことを特徴とする請求項５記載の光伝送装置。
【請求項７】
前記自然放出光の発生起点を前記下流側後段光増幅部とした場合の前記折り返し処理時には、
前記第１の上流側スイッチは、前記下流側後段光増幅部の出力光を前記上流側前段光増幅部へ入力し、
前記第２の上流側スイッチは、前記上流側前段光増幅部からの出力光を前記上流側後段光増幅部へ入力し、
前記第３の上流側スイッチは、前記上流側後段光増幅部の出力光を前記下流側前段光増幅部へ送信し、
前記第１の下流側スイッチは、前記上流側後段光増幅部の出力光を前記下流側前段光増幅部へ入力し、
前記第２の下流側スイッチは、前記下流側前段光増幅部からの出力光の前記下流側後段光増幅部への入力を遮断し、
前記第３の下流側スイッチは、前記下流側後段光増幅部の出力光を前記上流側前段光増幅部へ入力する、
ことを特徴とする請求項５記載の光伝送装置。
【請求項８】
上流から送信された波長多重信号光が前記上流側前段光増幅部に入力した際、前記上流側前段光増幅部で増幅された上流側波長多重信号光を受信して波長分離を行う上流側波長分離部と、
下流から送信された波長多重信号光が前記下流側前段光増幅部に入力した際、前記下流側前段光増幅部で増幅された下流側波長多重信号光を受信して波長分離を行う下流側波長分離部とをさらに備え、
前記上流側波長分離部及び前記下流側波長分離部の動作確認時には、前記折り返し処理部による前記折り返し処理によって、前記上流側前段光増幅部から出力された前記自然放出光が前記上流側波長分離部に入力し、前記下流側前段光増幅部から出力された前記自然放出光が前記下流側波長分離部に入力する、
ことを特徴とする請求項４記載の光伝送装置。
【発明の詳細な説明】
【技術分野】
【０００１】
本発明は、光伝送を行う光伝送装置に関する。
【背景技術】
【０００２】
光伝送装置の初期立ち上げ時には、各プラグインユニット（Plug in Unit）の設定作業や動作確認作業が行われる。この場合、自然放出光であるＡＳＥ（Amplified Spontaneous Emission）光が利用されることが多い。
【０００３】
例えば、光アンプでは、ＡＳＥ光を利用してのゲイン設定が行われている。これは、光ファイバ伝送路の上流に位置するノードの光アンプからＡＳＥ光を発生させて、下流側に位置するノード内の光アンプへＡＳＥ光を入力させる。そして、下流側の光アンプの光出力レベルが所望レベルとなるように、ゲインの設定を行うものである。
【０００４】
従来のＡＳＥ光を利用した装置立ち上げ技術としては、例えば特許文献１が提案されている。
【先行技術文献】
【特許文献】
【０００５】
【特許文献１】特開２００４−２３４３７号公報
【発明の概要】
【発明が解決しようとする課題】
【０００６】
ＷＤＭ（Wavelength Division Multiplexing）の光伝送を行うシステムでは、初期立ち上げ時において、上記のような光アンプのゲイン設定の他に、装置内で波長分離された後の信号光が、正常なレベルで出力されているか否かの確認作業を行うことも重要である。しかし、従来では、ＡＳＥ光を利用しての波長分離後の信号光レベルの正常性確認を精度よく行うことが困難であった。
【０００７】
図１１はＷＤＭ伝送装置を示す図である。ＷＤＭ伝送装置５において、複数の互いに異なる波長の光が多重化されたＷＤＭ信号光を受信して波長分離を行う構成部分を示している。ＷＤＭ伝送装置５は、前段光増幅ユニット５１及び波長分離ユニット５２の各プラグインユニットを含む。前段光増幅ユニット５１は、プリアンプ５１ａ、カプラ５１ｂを含む。また、波長分離ユニット５２は、ＤＭＵＸ５２ａ、カプラ５２ｂ−１〜５２ｂ−ｎ、ＰＤ（Photo Diode）５２ｃ−１〜５２ｃ−ｎを含む。
【０００８】
プリアンプ５１ａは、光ファイバ伝送路Ｆを通じて上流から流れてきたＷＤＭ信号光を受信して増幅し出力する。増幅されたＷＤＭ信号光は、カプラ５１ｂで２分岐され、一方は後段処理部（図示せず）へ送信され、他方は波長分離ユニット５２へ送信される。
【０００９】
ＤＭＵＸ５２ａは、受信したＷＤＭ信号光をｎ波に波長分離して出力する。カプラ５２ｂ−１〜５２ｂ−ｎそれぞれは、各波長の信号光を２分岐し、一方をＰＤ５２ｃ−１〜５２ｃ−ｎへ送信し、他方をトリビュタリに向けてＤｒｏｐする。ＰＤ５２ｃ−１〜５２ｃ−ｎそれぞれは、受信した各波長の信号光をＯ／Ｅ変換して電気信号を生成し、所定の処理部（図示せず）へ送信する。
【００１０】
ここで、ＷＤＭ伝送装置５の初期立ち上げ時には、前段光増幅ユニット５１及び波長分離ユニット５２の各プラグインユニットに対して、個別の設定・確認作業がそれぞれ行われる。
【００１１】
装置立ち上げ時の前段光増幅ユニット５１に対する作業としては、例えば、上流ノードから送信されて光ファイバ伝送路Ｆを流れてきたＡＳＥ光を、プリアンプ５１ａに入力して、プリアンプ５１ａのゲイン設定を行ったりする。
【００１２】
一方、装置立ち上げ時の波長分離ユニット５２に対する作業としては、例えば、ＤＭＵＸ５２ａで波長分離された後の信号光が、正常なレベルで出力（Ｄｒｏｐ）されるか否かを確認する作業が行われる。この場合、ＰＤ５２ｃ−１〜５２ｃ−ｎのそれぞれでＯ／Ｅ変換された後の電気信号レベルから、各波長の信号光が正常レベルか否かを確認することができる。
【００１３】
なお、波長分離後の信号光レベルの正常性確認を精度よく行うためには、ＤＭＵＸ５２ａには、通常運用時のＷＤＭ信号光のパワーに近い光パワーを持った信号光を入力させることが望ましい。すなわち、ＷＤＭの信号光波長帯域で、通常運用時のＷＤＭ信号光を受信しているときの光パワーとほぼ同一の光パワーを持った信号光を入力させることが望ましい。
【００１４】
ＡＳＥ光を波長分離ユニット５２へ入力させる際、上流ノードから送信されたＡＳＥ光は、光ファイバ伝送路Ｆを経由しているために光パワーが非常に低い状態となっている。このため、通常運用時のＷＤＭ信号光を受信しているときの光パワーに近い光パワーとするには、プリアンプ５１ａにおいてローパワーのＡＳＥ光をハイパワーのＡＳＥ光まで増幅させる。
【００１５】
しかし、光ファイバ伝送路Ｆを経由してきた光パワーの低いＡＳＥ光を、通常運用時のＷＤＭ信号光を受信しているときとほぼ同じ光パワーとなるまで、ゲインを大きくしてハイパワー化すると、波長プロファイルの形状が大きく傾いてしまうことになる。
【００１６】
図１２は波長プロファイルの形状に傾きが生じている様子を示す図である。縦軸は光パワー[ｄＢｍ]、横軸は波長[ｎｍ]である。光アンプとして標準的なＥＤＦＡ（Erbium-Doped Fiber Amplifier）を使用した場合、ＥＤＦＡのゲインを上昇させていくと、反転分布率が上がっていく。すると、高い反転分布を有する状態では、ＷＤＭの信号光波長帯域に相当する例えば１５３０ｎｍ〜１５７０ｎｍ付近の領域で、波長に対して光パワーは右下がりの傾斜となることが知られている（逆にゲインを下げて低い反転分布状態にすると、波長に対して光パワーは右上がりの傾斜となる）。なお、約７０％程度の反転分布状態に保持すると平坦性が得られることが知られている。
【００１７】
図１３はＷＤＭ伝送装置を示す図である。波長プロファイルの形状に傾きが生じたＡＳＥ光が出力している様子を示している。プリアンプ５１ａの入力段の波長プロファイルｐｒ１において、上流ノードから送信されたＡＳＥ光２は、ＷＤＭの信号光波長帯域で、光パワーは平坦（波長毎の光パワーが均一）であるが、全体的に光パワーは非常に低い状態である。
【００１８】
このようなＡＳＥ光２に対して、プリアンプ５１ａが、通常運用時のＷＤＭ信号光を受信しているときの光パワーと近い光パワーになるまでゲインを大きくして増幅すると、プリアンプ５１ａから出力されたＡＳＥ光２ａの波長プロファイルは平坦性が崩れてしまう。すなわち、波長プロファイルｐｒ２に示すように、ハイパワーではあるが、波長プロファイルｐｒ１では平坦であった部分が右下がりに傾いた形状になる。
【００１９】
このような波長プロファイルｐｒ２の形状を持つＡＳＥ光２ａを、ＤＭＵＸ５２ａに入力して波長分離後の信号光レベルをモニタしても、波長分離前の状態で各波長の光レベルに差が生じているので、波長分離後の信号光レベルの厳密な正常性確認を行うことはできない。
【００２０】
一方、上流ノードから送信されたＡＳＥ光２を使用せずに、プリアンプ５１ａを無入力の状態にし、プリアンプ５１ａ自身から発生させたＡＳＥ光をＤＭＵＸ５２ａに入力することで、波長分離後の信号光レベルの正常性確認を行うことも考えられる。
【００２１】
この場合も、通常運用時のＷＤＭ信号光を受信しているときの光パワーと近い光パワーのＡＳＥ光を、ＤＭＵＸ５２ａに入力することが好ましいので、プリアンプ５１ａは、自己が発生するＡＳＥ光を所定レベルまで増幅して出力することになる。
【００２２】
しかし、無入力の状態から、通常運用時のＷＤＭ信号光の受信レベルに近い光パワーのＡＳＥ光を、プリアンプ５１ａから出力させることは、プリアンプ５１ａの増幅性能に依存し、プリアンプ５１ａの製品自体の仕様の制限を受けることになるので、この方法は、任意のプリアンプに対して常に適用できるものではない。
【００２３】
また、プリアンプ５１ａの製品自体の仕様の制限を受けず、無入力の状態からゲインを大きくして所定レベルまで増幅したＡＳＥ光を出力することが仮に可能であったとしても、プリアンプ５１ａには大きなゲインが設定されているために、プリアンプ５１ａから出力したそのＡＳＥ光の波長プロファイルは、上述した波長プロファイルｐｒ２のように平坦性が崩れた形状になってしまう。したがって、プリアンプ５１ａ自身からＡＳＥ光を発生させる方法によっても、波長分離後の信号光レベルの厳密な正常性確認を行うことは難しい。
【００２４】
以上説明したように、従来のＷＤＭ伝送装置では、平坦でかつ高出力の波長プロファイルを持つＡＳＥ光を発生させて、波長分離後の信号光レベルなどの正常性確認を精度よく行うことが困難であった。
【００２５】
本発明はこのような点に鑑みてなされたものであり、ＡＳＥ光を利用して、装置機能の正常性動作確認を高精度に行うことが可能な光伝送装置を提供することを目的とする。
【課題を解決するための手段】
【００２６】
上記課題を解決するために、光伝送装置が提供される。この光伝送装置は、入力光を増幅する前段光増幅部と、前記前段光増幅部からの出力光を増幅する後段光増幅部と、前記前段光増幅部からの出力光の前記後段光増幅部への入力を遮断して、前記後段光増幅部からの出力光を前記前段光増幅部へ折り返し入力する折り返し処理を行う折り返し処理部とを備え、前記折り返し処理によって、前記後段光増幅部から、波長多重光の波長帯域で光パワーが低レベルで各波長の光パワーが平坦性を有する波長プロファイルを持つ自然放出光を発生させ、前記前段光増幅部により、前記波長多重光の波長帯域で前記平坦性を維持するゲインで前記自然放出光を増幅させる。
【００２７】
ここで、折り返し処理によって、後段光増幅部から自然放出光を発生させ、前段光増幅部により自然放出光を増幅させて、前段光増幅部から、信号光の波長帯域で、光パワーが平坦な波長特性を持つ自然放出光を出力させる。
【発明の効果】
【００２８】
自然放出光を利用しての装置機能の動作確認を高精度に行うことが可能になる。
【図面の簡単な説明】
【００２９】
【図１】光伝送装置の構成例を示す図である。
【図２】光伝送装置の構成例を示す図である。
【図３】光伝送装置の構成例を示す図である。
【図４】ＡＳＥ光のスペクトラムを示す図である。
【図５】光伝送装置の構成例を示す図である。
【図６】光伝送装置の構成例を示す図である。
【図７】光伝送装置の構成例を示す図である。
【図８】光伝送装置の構成例を示す図である。
【図９】光伝送装置の構成例を示す図である。
【図１０】光伝送装置の構成例を示す図である。
【図１１】ＷＤＭ伝送装置を示す図である。
【図１２】波長プロファイルの形状に傾きが生じている様子を示す図である。
【図１３】ＷＤＭ伝送装置を示す図である。
【発明を実施するための形態】
【００３０】
以下、本発明の実施の形態を図面を参照して説明する。図１は光伝送装置の構成例を示す図である。光伝送装置１０は、プリアンプ（前段光増幅部）１１、ポストアンプ（後段光増幅部）１２、折り返し処理部１３及び制御部１４を備え、光伝送を行う装置である。
【００３１】
折り返し処理部１３は、スイッチｓｗ１（第１のスイッチ）、スイッチｓｗ２（第２のスイッチ）及びスイッチｓｗ３（第３のスイッチ）を含み、スイッチｓｗ１は、入力端子ａ１、ａ２と出力端子ａ３を有し、スイッチｓｗ２は、入力端子ｂ１と出力端子ｂ２を有し、スイッチｓｗ３は、入力端子ｃ１と出力端子ｃ２、ｃ３を有する。
【００３２】
なお、スイッチｓｗ１は、光ファイバ伝送路Ｆ１ａを介して上流ノードから送信されてきた信号光、またはポストアンプ１２の出力光のいずれかをプリアンプ１１へ入力するためのスイッチである。スイッチｓｗ２は、プリアンプ１１からの出力光をポストアンプ１２へ入力または遮断するためのスイッチである。スイッチｓｗ３は、ポストアンプ１２の出力光を光ファイバ伝送路Ｆ１ｂを介して下流ノードへ送信またはプリアンプ１１へ送信するためのスイッチである。
【００３３】
スイッチｓｗ１〜ｓｗ３周りの接続構成を示すと、スイッチｓｗ１の入力端子ａ１は、光ファイバ伝送路Ｆ１ａと接続し、スイッチｓｗ１の出力端子ａ３は、プリアンプ１１の入力ポートと接続する。スイッチｓｗ２の入力端子ｂ１は、プリアンプ１１の出力ポートと接続し、スイッチｓｗ２の出力端子ｂ２は、ポストアンプ１２の入力ポートと接続する。スイッチｓｗ３の入力端子ｃ１は、ポストアンプ１２の出力ポートと接続し、スイッチｓｗ３の出力端子ｃ２は、光ファイバ伝送路Ｆ１ｂと接続し、スイッチｓｗ３の出力端子ｃ３は、スイッチｓｗ１の入力端子ａ２と接続する。
【００３４】
ここで、プリアンプ１１は、入力光を増幅する。ポストアンプ１２は、プリアンプ１１からの出力光を入力して増幅する。折り返し処理部１３は、スイッチｓｗ１〜ｓｗ３のスイッチ切替を行って、ポストアンプ１２からの出力光をプリアンプ１１へ折り返し入力するための折り返し処理を行う（スイッチ切替の動作は後述）。
【００３５】
制御部１４は、折り返し処理部１３に対して折り返し処理の指示（スイッチ処理の指示）を与える。なお、制御部１４は、光伝送装置１０のその他の構成要素の制御も含めて、装置全体の制御も行う。さらにユーザインタフェース機能を有しており、保守端末と接続して、装置の運用状態を保守端末へ通知したり、保守端末を通じて外部から与えられるデータの設定（スイッチ切替設定等）を行ったりする。
【００３６】
ここで、折り返し処理部１３は、折り返し処理時には、スイッチｓｗ３は、ポストアンプ１２の出力光をプリアンプ１１へ送信し、スイッチｓｗ１は、ポストアンプ１２の出力光をプリアンプ１１へ入力し、スイッチｓｗ２は、プリアンプ１１からの出力光のポストアンプ１２への入力を遮断する。
【００３７】
このようなスイッチ切替制御を行うことにより、ポストアンプ１２からＡＳＥ光（自然放出光）１を発生させ、プリアンプ１１にＡＳＥ光１を入力して増幅させる。そして、プリアンプ１１から、光伝送装置１０が伝送する信号光の波長帯域で、各波長の光パワーが平坦（均一）で高出力の波長特性（波長プロファイル）を持つＡＳＥ光１ａを出力させる。
【００３８】
次に光伝送装置１０をＷＤＭ伝送を行う装置に適用した場合について説明する。図２は光伝送装置の構成例を示す図である。光伝送装置１０−１は、プリアンプ１１、ポストアンプ１２、折り返し処理部１３、制御部１４、ＤＭＵＸ（波長分離部）１５、ＭＵＸ（波長多重化部）１６、ＰＤ１７−１〜１７−ｎ、カプラＣｐ１及びカプラＣｐ２−１〜Ｃｐ２−ｎを備え、ＯＡＤＭ（Optical Add-Drop Multiplex）機能を有して、ＷＤＭ信号光の伝送を行う装置である。
【００３９】
折り返し処理部１３は、上述のスイッチｓｗ１〜ｓｗ３を含む。スイッチｓｗ１〜ｓｗ３周りの接続構成を示すと、スイッチｓｗ１の入力端子ａ１は、光ファイバ伝送路Ｆ１ａと接続し、スイッチｓｗ１の出力端子ａ３は、プリアンプ１１の入力ポートと接続する。スイッチｓｗ２の入力端子ｂ１は、ＭＵＸ１６の出力ポートと接続し、スイッチｓｗ２の出力端子ｂ２は、ポストアンプ１２の入力ポートと接続する。スイッチｓｗ３の入力端子ｃ１は、ポストアンプ１２の出力ポートと接続し、スイッチｓｗ３の出力端子ｃ２は、光ファイバ伝送路Ｆ１ｂと接続し、スイッチｓｗ３の出力端子ｃ３は、スイッチｓｗ１の入力端子ａ２と接続する。
【００４０】
次に通常運用時の動作について、図２にもとづき説明する。通常運用時のスイッチ切替制御において、スイッチｓｗ１は、入力端子ａ１と出力端子ａ３とを接続して、光ファイバ伝送路Ｆ１ａを通じて流れてきたＷＤＭ信号光を、プリアンプ１１へ入力するスイッチングを行う。
【００４１】
スイッチｓｗ２は、入力端子ｂ１と出力端子ｂ２とを接続して、プリアンプ１１からの出力光をポストアンプ１２へ入力するスイッチングを行う。スイッチｓｗ３は、入力端子ｃ１と出力端子ｃ２とを接続して、ポストアンプ１２からの出力光を、光ファイバ伝送路Ｆ１ｂを介して送信するスイッチングを行う。なお、これらのスイッチ切替制御は、制御部１４のスイッチ指示にもとづき自動設定される。
【００４２】
光ファイバ伝送路Ｆ１ａを通じて上流から流れてきたＷＤＭ信号光は、プリアンプ１１に入力する。プリアンプ１１は、ＷＤＭ信号光を増幅して出力する。カプラＣｐ１は、増幅後のＷＤＭ信号光を２分岐し、一方をＭＵＸ１６へ送信し、他方をＤＭＵＸ１５へ送信する。
【００４３】
ＤＭＵＸ１５は、受信したＷＤＭ信号光をｎ波に波長分離して出力する。カプラＣｐ２−１〜Ｃｐ２−ｎそれぞれは、各波長の信号光を２分岐し、一方をＰＤ１７−１〜１７−ｎへ送信し、他方をトリビュタリに向けてＤｒｏｐする。ＰＤ１７−１〜１７−ｎそれぞれは、受信した各波長の信号光をＯ／Ｅ変換して電気信号を生成し、所定の処理部へ送信する。
【００４４】
ＭＵＸ１６は、受信したＷＤＭ信号光と、Ａｄｄされた信号光との波長多重化を行い、新たなＷＤＭ信号光を生成して出力する。ポストアンプ１２は、ＭＵＸ１６から出力されたＷＤＭ信号光を増幅し、光ファイバ伝送路Ｆ１ｂを介して下流へ送信する。
【００４５】
次に装置立ち上げ等で行われる折り返し処理時の動作について、図３にもとづき説明する。図３は光伝送装置１０−１の構成例を示す図である。折り返し処理時のスイッチ切替制御において、スイッチｓｗ１は、入力端子ａ２と出力端子ａ３とを接続して、ポストアンプ１２の出力光をプリアンプ１１へ入力するスイッチングを行う。
【００４６】
スイッチｓｗ２は、入力端子ｂ１と出力端子ｂ２とを開放して、プリアンプ１１からの出力光のポストアンプ１２への入力を遮断するスイッチングを行う。スイッチｓｗ３は、入力端子ｃ１と出力端子ｃ３とを接続して、ポストアンプ１２からの出力光を、プリアンプ１１へ送信するスイッチングを行う。なお、これらのスイッチ切替制御は、制御部１４のスイッチ指示にもとづき自動設定される。
【００４７】
ポストアンプ１２は、無入力状態となって、ＷＤＭの信号光波長帯域のＡＳＥ光１を発生し、ＡＳＥ光１は、折り返されてプリアンプ１１に入力する。プリアンプ１１は、ＡＳＥ光１に対して、通常運用時のＷＤＭ信号光を受信しているときの光パワーに近い光パワーとなるまで増幅し、増幅したＡＳＥ光１ａを出力する。
【００４８】
ＤＭＵＸ１５は、受信したＡＳＥ光１ａをｎ波に波長分離して出力する。カプラＣｐ２−１〜Ｃｐ２−ｎそれぞれは、各波長のＡＳＥ光１ａを２分岐し、一方をＰＤ１７−１〜１７−ｎへ送信する。ＰＤ１７−１〜１７−ｎそれぞれは、受信した各波長のＡＳＥ光１ａをＯ／Ｅ変換して電気信号を生成する。ＰＤ１７−１〜１７−ｎから出力される電気信号のレベルから、波長分離後の信号光レベルの確認を行う。
【００４９】
ここで、ポストアンプ１２は、ＷＤＭの信号光波長帯域で、光パワーが小さく、各波長の光パワーが平坦な波長プロファイルＰｒ１を持つＡＳＥ光１を発生する。ＡＳＥ光１は、プリアンプ１１に入力されて増幅され、プリアンプ１１から、ＷＤＭの信号光波長帯域で、光パワーが高レベルで各波長の光パワーが平坦な波長プロファイルＰｒ２を持つＡＳＥ光１ａが出力される。
【００５０】
図４はＡＳＥ光１のスペクトラムを示す図である。なお、プリアンプ１１とポストアンプ１２には、標準的な光アンプであるＥＤＦＡを使用するものとする。縦軸は光パワー[ｄＢｍ]、横軸は波長[ｎｍ]であり、ポストアンプ１２から発生させたＡＳＥ光１のスペクトラム（波長プロファイルＰｒ１）を示している。また、ポストアンプ１２の動作条件として、出力設定が＋０．６ｄＢｍ／ｃｈのときに、無入力で−６．４ｄＢｍのＡＳＥ光を発生させるとする。
【００５１】
１チャネル（１波）当たりの主信号パワーが＋０．６ｄＢｍとなるように出力設定したポストアンプ１２に対して、無入力時に−６．４ｄＢｍのＡＳＥ光を発生させたときのスペクトラムは、図に示すように、ＷＤＭの信号光波長帯域において、光パワーは低いが、ほぼ平坦な波長プロファイルとなっている。
【００５２】
一方、通常運用時において、最大４０波の信号光が波長多重化されたＷＤＭ信号光がプリアンプ１１に入力するものとし、またプリアンプ１１の動作条件も、出力設定が＋０．６ｄＢｍ／ｃｈであるとする。
【００５３】
４０波の信号光が波長多重化されたＷＤＭ信号光の出力に相当する光パワーは、＋１６．６ｄＢｍ（＝＋０．６＋１０log（（４０波×１ｍＷ）／１ｍＷ）＝＋０．６＋１０log４０）となるので（１波が１ｍＷの入力として換算）、プリアンプ１１から４０波相当パワーのＡＳＥ光１ａを発生させる場合、そのＡＳＥ光１ａのパワーは、＋１６．６ｄＢｍとなる。
【００５４】
したがって、プリアンプ１１に対して、ＡＳＥ光１を折り返し入力して、４０波の信号光が波長多重化されたＷＤＭ信号光の光パワーを発生させるためには、プリアンプ１１に必要なゲインは、２３ｄＢ（＝１６．６−（−６．４））となる。この２３ｄＢという値、または２３ｄＢの近傍値は、ＥＤＦＡをおよそ７０％程度の反転分布状態に制御可能なゲインに相当し、ＷＤＭの信号光波長帯域においてほぼ平坦性を維持することができるものである。また、この値は、ＥＤＦＡがカバーすべき利得範囲に含まれる一般的な利得であり、ＷＤＭの信号光波長帯域において平坦性を維持することが出来る。
【００５５】
プリアンプ１１から出力されたＡＳＥ光１ａは、ＤＭＵＸ１５に入力して、波長分離が行われることになる。ＤＭＵＸ１５には、ＷＤＭの信号光波長帯域で、通常運用時のＷＤＭ信号光を受信しているときの光パワーと近い光パワーを持ち、かつ各波長の光パワーが平坦（均一）なＡＳＥ光１ａが入力することになる。このため、ＤＭＵＸ１５には、通常運用時のＷＤＭ信号光と同等とみなせるＡＳＥ光を入力させることができるので、ＤＭＵＸ１５といった装置の正常性確認を高精度に行うことが可能になる。
【００５６】
なお、図１３で上述したように、従来の場合では、上流ノードから送信されたＡＳＥ光２をプリアンプに入力していたが、ＡＳＥ光２は、光ファイバ伝送路を伝送してくるので、ＡＳＥ光２の光パワーは、光伝送装置１０−１のポストアンプ１２から出力するＡＳＥ光１の光パワーと比べて、例えば、２０ｄＢ程低いものである。
【００５７】
このように、ＡＳＥ光２の光パワーは非常に微弱なレベルであるため、これを通常運用時のＷＤＭ信号光を受信しているときと同等の光パワーまで、プリアンプ１１で増幅させようとすると、＞４３ｄＢ（＝２３ｄＢ＋２０ｄＢ）のゲインが必要となる。
【００５８】
プリアンプ１１に対して、＞４３ｄＢという高いゲインでＡＳＥ光２を増幅して出力すると、図１２、図１３で上述したように、波長に対して右下がりに傾いた形状の波長プロファイルｐｒ２が出力されることになり、ＤＭＵＸ等の構成部品の動作確認に用いるのに適さないものとなる。
【００５９】
以上説明したように、同一装置内のプリアンプ１１とポストアンプ１２に対して、ポストアンプ１２から発生させたＡＳＥ光１をプリアンプ１１に折り返し入力して増幅して、高出力かつ平坦な形状の波長プロファイルを持つＡＳＥ光１ａを発生させる構成とした。
【００６０】
このようなＡＳＥ光１ａを用いることで、装置の各機能部の動作確認作業を高精度に行うことが可能になる。例えば、プリアンプ１１とＤＭＵＸ１５との間の光ファイバロス異常やＤＭＵＸ１５のロス異常等を精度よく検出することができ、保守効率を向上させる。
【００６１】
なお、上記のような、折り返し処理を行って、ＤＭＵＸ１５の波長毎のレベルを一端測定した後は、レベル測定値を装置内のメモリに初期値として記憶させておく。これにより、装置立ち上げ後の運用状態において、メモリに記憶した初期値と、運用時の波長レベルとを比較することにより、障害検出を効率よく行うことが可能になる。
【００６２】
次に他の実施の形態の光伝送装置について説明する。図５、図６は光伝送装置の構成例を示す図である。光伝送装置１０−２において、上り方向から下り方向への光伝送系に対しては、図５に示すように、プリアンプ１１（上流側前段光増幅部）、ポストアンプ１２（上流側後段光増幅部）、ＤＭＵＸ１５（上流側波長分離部）、ＭＵＸ１６（上流側波長多重化部）、ＰＤ１７−１〜１７−ｎ、カプラＣｐ１及びカプラＣｐ２−１〜Ｃｐ２−ｎを備える。
【００６３】
下り方向から上り方向への光伝送系に対しては、図６に示すように、プリアンプ２１（下流側前段光増幅部）、ポストアンプ２２（下流側後段光増幅部）、ＤＭＵＸ２５（下流側波長分離部）、ＭＵＸ２６（下流側波長多重化部）、ＰＤ２７−１〜２７−ｎ、カプラＣｐ３及びカプラＣｐ４−１〜Ｃｐ４−ｎを備える。
【００６４】
また、両系に対して折り返し処理部１３ａを備えており、折り返し処理部１３ａ内のスイッチｓｗ１（第１の上流側スイッチ）、スイッチｓｗ２（第２の上流側スイッチ）及びスイッチｓｗ３（第３の上流側スイッチ）は、上り方向から下り方向への光伝送系に対して配置される。
【００６５】
さらに、折り返し処理部１３ａ内のスイッチｓｗ１ａ（第１の下流側スイッチ）、スイッチｓｗ２ａ（第２の下流側スイッチ）、スイッチｓｗ３ａ（第３の下流側スイッチ）は、下り方向から上り方向への光伝送系に対して配置される。また、装置上位に制御部１４が配置される。なお、図５の構成は、図２と基本的に同様なので、図６を中心に説明する。
【００６６】
折り返し処理部１３ａ内のスイッチｓｗ１ａ〜ｓｗ３ａにおいて、スイッチｓｗ１ａは、入力端子ｄ１、ｄ２と出力端子ｄ３を有し、スイッチｓｗ２ａは、入力端子ｅ１と出力端子ｅ２を有し、スイッチｓｗ３ａは、入力端子ｆ１と出力端子ｆ２、ｆ３を有する。
【００６７】
スイッチｓｗ１ａ〜ｓｗ３ａ周りの接続構成を示すと、スイッチｓｗ１ａの入力端子ｄ１は、スイッチｓｗ３の出力端子ｃ３と接続し、スイッチｓｗ１ａの入力端子ｄ２は、光ファイバ伝送路Ｆ２ａと接続する。また、スイッチｓｗ１ａの出力端子ｄ３は、プリアンプ２１の入力ポートと接続する。
【００６８】
スイッチｓｗ２ａの入力端子ｅ１は、ＭＵＸ２６の出力ポートと接続し、スイッチｓｗ２ａの出力端子ｅ２は、ポストアンプ２２の入力ポートと接続する。スイッチｓｗ３ａの入力端子ｆ１は、ポストアンプ２２の出力ポートと接続し、スイッチｓｗ３ａの出力端子ｆ２は、スイッチｓｗ１の入力端子ａ２と接続する。また、スイッチｓｗ３ａの出力端子ｆ３は、光ファイバ伝送路Ｆ２ｂと接続する。
【００６９】
ここで、折り返し処理部１３ａは、折り返し処理時には、ポストアンプ１２からＡＳＥ光を発生させ、プリアンプ２１によりＡＳＥ光を増幅させて、プリアンプ２１及びプリアンプ１１から、ＷＤＭ信号光の波長帯域で、光パワーが平坦な波長特性を持つＡＳＥ光を出力させる。
【００７０】
または、ポストアンプ２２からＡＳＥ光を発生させ、プリアンプ１１によりＡＳＥ光を増幅させて、プリアンプ１１及びプリアンプ２１から、ＷＤＭ信号光の波長帯域で、光パワーが平坦な波長特性を持つＡＳＥ光を出力させる。
【００７１】
制御部１４は、折り返し処理部１３ａに対して折り返し処理の指示を与える。ＤＭＵＸ２５は、受信したＷＤＭ信号光をｎ波に波長分離して出力する。カプラＣｐ４−１〜Ｃｐ４−ｎそれぞれは、各波長の信号光を２分岐し、一方をＰＤ２７−１〜２７−ｎへ送信し、他方をトリビュタリに向けてＤｒｏｐする。ＰＤ２７−１〜２７−ｎそれぞれは、受信した各波長の信号光をＯ／Ｅ変換して電気信号を生成し、所定の処理部へ送信する。ＭＵＸ２６は、プリアンプ２１から送信された信号光と、Ａｄｄされた信号光との波長多重化を行って出力する。
【００７２】
次に下流から上流方向への通常運用時の動作について、図６にもとづき説明する（上流から下流方向への通常運用時の動作は図２で上述したので省略する）。通常運用時のスイッチ切替制御において、スイッチｓｗ１ａは、入力端子ｄ２と出力端子ｄ３とを接続して、光ファイバ伝送路Ｆ２ａを通じて流れてきたＷＤＭ信号光を、プリアンプ２１へ入力するスイッチングを行う。
【００７３】
スイッチｓｗ２ａは、入力端子ｅ１と出力端子ｅ２とを接続して、プリアンプ２１からの出力光をポストアンプ２２へ入力するスイッチングを行う。スイッチｓｗ３ａは、入力端子ｆ１と出力端子ｆ３とを接続して、ポストアンプ２２からの出力光を、光ファイバ伝送路Ｆ２ｂを介して送信するスイッチングを行う。なお、これらのスイッチ切替制御は、制御部１４のスイッチ指示にもとづき自動設定される。
【００７４】
光ファイバ伝送路Ｆ２ａを通じて下流から流れてきたＷＤＭ信号光は、プリアンプ２１に入力する。プリアンプ２１は、ＷＤＭ信号光を増幅して出力する。カプラＣｐ３は、増幅後のＷＤＭ信号光を２分岐し、一方をＭＵＸ２６へ送信し、他方をＤＭＵＸ２５へ送信する。
【００７５】
ＤＭＵＸ２５は、受信したＷＤＭ信号光をｎ波に波長分離して出力する。カプラＣｐ４−１〜Ｃｐ４−ｎそれぞれは、各波長の信号光を２分岐し、一方をＰＤ２７−１〜２７−ｎへ送信し、他方をトリビュタリに向けてＤｒｏｐする。ＰＤ２７−１〜２７−ｎそれぞれは、受信した各波長の信号光をＯ／Ｅ変換して電気信号を生成する。
【００７６】
ＭＵＸ２６は、受信したＷＤＭ信号光と、Ａｄｄされた信号光との波長多重化を行い、新たなＷＤＭ信号光を生成して出力する。ポストアンプ２２は、ＭＵＸ２６から出力されたＷＤＭ信号光を増幅し、光ファイバ伝送路Ｆ２ｂを介して上流へ送信する。
【００７７】
次に装置立ち上げ等で行われる折り返し処理時の動作について説明する。なお、ＡＳＥ光の発生起点をポストアンプ１２とした場合と、ＡＳＥ光の発生起点をポストアンプ２２とした場合の２つの折り返し処理があるので、それぞれに分けて説明する。
【００７８】
図７、図８は光伝送装置１０−２の構成例を示す図である。図７、図８は、ＡＳＥ光の発生起点をポストアンプ１２とした場合の折り返し状態を示している。折り返し処理時のスイッチ切替制御において、スイッチｓｗ１は、入力端子ａ２と出力端子ａ３とを接続して、ポストアンプ２２の出力光をプリアンプ１１へ入力するスイッチングを行う。スイッチｓｗ２は、入力端子ｂ１と出力端子ｂ２とを開放して、プリアンプ１１からの出力光のポストアンプ１２への入力を遮断するスイッチングを行う。スイッチｓｗ３は、入力端子ｃ１と出力端子ｃ３とを接続して、ポストアンプ１２の出力光を、プリアンプ２１へ送信するスイッチングを行う。
【００７９】
スイッチｓｗ１ａは、入力端子ｄ１と出力端子ｄ３とを接続して、ポストアンプ１２の出力光をプリアンプ２１へ入力するスイッチングを行う。スイッチｓｗ２ａは、入力端子ｅ１と出力端子ｅ２とを接続して、プリアンプ２１からの出力光をポストアンプ２２へ入力するスイッチングを行う。スイッチｓｗ３ａは、入力端子ｆ１と出力端子ｆ２とを接続して、ポストアンプ２２の出力光を、プリアンプ１１へ送信するスイッチングを行う。なお、これらのスイッチ切替制御は、制御部１４のスイッチ指示にもとづき自動設定される。
【００８０】
このようなスイッチ切替状態において、ポストアンプ１２では、無入力状態となって、ＷＤＭの信号光波長帯域のＡＳＥ光１を発生し、ＡＳＥ光１は、折り返されてプリアンプ２１に入力する。プリアンプ２１は、ＡＳＥ光１に対して、通常運用時のＷＤＭ信号光を受信しているときの光パワーに近い光パワーとなるまで増幅し、増幅したＡＳＥ光１ａを出力する。
【００８１】
ＤＭＵＸ２５は、受信したＡＳＥ光１ａをｎ波に波長分離して出力する。カプラＣｐ４−１〜Ｃｐ４−ｎそれぞれは、各波長のＡＳＥ光１ａを２分岐し、一方をＰＤ２７−１〜２７−ｎへ送信し、ＰＤ２７−１〜２７−ｎそれぞれは、受信した各波長のＡＳＥ光１ａをＯ／Ｅ変換して電気信号を生成する。ＰＤ２７−１〜２７−ｎから出力される電気信号のレベルから、波長分離後の信号光レベルの確認（ＤＭＵＸ２５の波長分離機能の確認）を行う。
【００８２】
ここで、ポストアンプ１２は、ＷＤＭの信号光波長帯域で、光パワーが小さく、各波長の光パワーが平坦な波長プロファイルＰｒ１を持つＡＳＥ光１を発生する。ＡＳＥ光１は、プリアンプ２１に入力されて増幅され、プリアンプ２１から、ＷＤＭの信号光波長帯域で、光パワーが高レベルで各波長の光パワーが平坦な波長プロファイルＰｒ２を持つＡＳＥ光１ａが出力される。
【００８３】
一方、ＡＳＥ光１ａは、ポストアンプ２２を経由してプリアンプ１１に入力し、プリアンプ１１から出力される（ポストアンプ２２及びプリアンプ１１は増幅制御をせずに、ＡＳＥ光１ａを通過させる）。
【００８４】
ＤＭＵＸ１５は、受信したＡＳＥ光１ａをｎ波に波長分離して出力する。カプラＣｐ２−１〜Ｃｐ２−ｎそれぞれは、各波長のＡＳＥ光１ａを２分岐し、一方をＰＤ１７−１〜１７−ｎへ送信し、ＰＤ１７−１〜１７−ｎそれぞれは、受信した各波長のＡＳＥ光１ａをＯ／Ｅ変換して電気信号を生成する。ＰＤ１７−１〜１７−ｎから出力される電気信号のレベルから、波長分離後の信号光レベルの確認（ＤＭＵＸ１５の波長分離機能の確認）を行う。
【００８５】
以上説明したように、上流から下流への光伝送系に配置されているポストアンプ１２を起点にしてＡＳＥ光１を発生させる。そして、下流から上流への光伝送系に配置されているプリアンプ２１に折り返し入力して増幅してＡＳＥ光１ａを発生させ、かつＡＳＥ光１ａを上流から下流への光伝送系に配置されているプリアンプ１１に折り返し入力させる構成とした。
【００８６】
ＡＳＥ光１ａは、ＷＤＭの信号光波長帯域で高レベルかつ平坦な波長プロファイルＰｒ２を有するので、このようなＡＳＥ光１ａを用いることで、装置機能部の動作確認作業を高精度に行うことができ、保守効率を向上することが可能になる。
【００８７】
例えば、プリアンプ２１とＤＭＵＸ２５との間の光ファイバロス異常やＤＭＵＸ２５のロス異常等を精度よく検出することができる。また、プリアンプ１１とＤＭＵＸ１５との間の光ファイバロス異常やＤＭＵＸ１５のロス異常等を精度よく検出することができる。なお、上記では、ポストアンプ２２及びプリアンプ１１は増幅制御をせずに、ＡＳＥ光１ａを通過させるとしたが、波長プロファイルの平坦性が大きく崩れない程度に、ポストアンプ２２またはプリアンプ１１で増幅してもよい。
【００８８】
図９、図１０は光伝送装置１０−２の構成例を示す図である。図９、図１０は、ＡＳＥ光の発生起点をポストアンプ２２とした折り返し状態を示している。折り返し処理時のスイッチ切替制御において、スイッチｓｗ１は、入力端子ａ２と出力端子ａ３とを接続して、ポストアンプ２２の出力光をプリアンプ１１へ入力するスイッチングを行う。スイッチｓｗ２は、入力端子ｂ１と出力端子ｂ２とを接続して、プリアンプ１１からの出力光をポストアンプ１２へ入力するスイッチングを行う。スイッチｓｗ３は、入力端子ｃ１と出力端子ｃ３とを接続して、ポストアンプ１２の出力光を、プリアンプ２１へ送信するスイッチングを行う。
【００８９】
スイッチｓｗ１ａは、入力端子ｄ１と出力端子ｄ３とを接続して、ポストアンプ１２の出力光をプリアンプ２１へ入力するスイッチングを行う。スイッチｓｗ２ａは、入力端子ｅ１と出力端子ｅ２とを開放して、プリアンプ２１からの出力光のポストアンプ２２への入力を遮断するスイッチングを行う。スイッチｓｗ３ａは、入力端子ｆ１と出力端子ｆ２とを接続して、ポストアンプ２２の出力光を、プリアンプ１１へ送信するスイッチングを行う。なお、これらのスイッチ切替制御は、制御部１４のスイッチ指示にもとづき自動設定される。
【００９０】
このようなスイッチ切替状態において、ポストアンプ２２では、無入力状態となって、ＷＤＭの信号光波長帯域のＡＳＥ光１を発生し、ＡＳＥ光１は、折り返されてプリアンプ１１に入力する。プリアンプ１１は、ＡＳＥ光１に対して、通常運用時のＷＤＭ信号光を受信しているときの光パワーに近い光パワーとなるまで増幅し、増幅したＡＳＥ光１ａを出力する。
【００９１】
ＤＭＵＸ１５は、受信したＡＳＥ光１ａをｎ波に波長分離して出力する。カプラＣｐ２−１〜Ｃｐ２−ｎそれぞれは、各波長のＡＳＥ光１ａを２分岐し、一方をＰＤ１７−１〜１７−ｎへ送信し、ＰＤ１７−１〜１７−ｎそれぞれは、受信した各波長のＡＳＥ光１ａをＯ／Ｅ変換して電気信号を生成する。ＰＤ１７−１〜１７−ｎから出力される電気信号のレベルから、波長分離後の信号光レベルの確認（ＤＭＵＸ１５の波長分離機能の確認）を行う。
【００９２】
ここで、ポストアンプ２２は、ＷＤＭの信号光波長帯域で、光パワーが小さく、各波長の光パワーが平坦な波長プロファイルＰｒ１を持つＡＳＥ光１を発生する。ＡＳＥ光１は、プリアンプ１１に入力されて増幅され、プリアンプ１１から、ＷＤＭの信号光波長帯域で、光パワーが高レベルで各波長の光パワーが平坦な波長プロファイルＰｒ２を持つＡＳＥ光１ａが出力される。
【００９３】
一方、ＡＳＥ光１ａは、ポストアンプ１２を経由してプリアンプ２１に入力し、プリアンプ２１から出力される（ポストアンプ１２及びプリアンプ２１は増幅制御をせずに、ＡＳＥ光１ａを通過させる）。
【００９４】
ＤＭＵＸ２５は、受信したＡＳＥ光１ａをｎ波に波長分離して出力する。カプラＣｐ４−１〜Ｃｐ４−ｎそれぞれは、各波長のＡＳＥ光１ａを２分岐し、一方をＰＤ２７−１〜２７−ｎへ送信し、ＰＤ２７−１〜２７−ｎそれぞれは、受信した各波長のＡＳＥ光１ａをＯ／Ｅ変換して電気信号を生成する。ＰＤ２７−１〜２７−ｎから出力される電気信号のレベルから、波長分離後の信号光レベルの確認（ＤＭＵＸ２５の波長分離機能の確認）を行う。
【００９５】
以上説明したように、下流から上流への光伝送系に配置されているポストアンプ２２を起点にしてＡＳＥ光１を発生させる。そして、上流から下流への光伝送系に配置されているプリアンプ１１に折り返し入力して増幅してＡＳＥ光１ａを発生させ、かつＡＳＥ光１ａを下流から上流への光伝送系に配置されているプリアンプ２１に折り返し入力させる構成とした。
【００９６】
ＡＳＥ光１ａは、ＷＤＭの信号光波長帯域で高レベルかつ平坦な波長プロファイルＰｒ２を有するので、このようなＡＳＥ光１ａを用いることで、装置機能部の動作確認作業を高精度に行うことができ、保守効率を向上することが可能になる。
【００９７】
例えば、プリアンプ１１とＤＭＵＸ１５との間の光ファイバロス異常やＤＭＵＸ１５のロス異常等を精度よく検出することができる。また、プリアンプ２１とＤＭＵＸ２５との間の光ファイバロス異常やＤＭＵＸ２５のロス異常等を精度よく検出することができる。なお、上記では、ポストアンプ１２及びプリアンプ２１は増幅制御をせずに、ＡＳＥ光１ａを通過させるとしたが、波長プロファイルの平坦性が大きく崩れない程度に、ポストアンプ１２またはプリアンプ２１で増幅してもよい。
【符号の説明】
【００９８】
１０  光伝送装置
１１  前段光増幅部
１２  後段光増幅部
１３  折り返し処理部
１４  制御部
１、１ａ  ＡＳＥ光
Ｆ１ａ、Ｆ１ｂ  光ファイバ伝送路
ｓｗ１  第１のスイッチ
ｓｗ２  第２のスイッチ
ｓｗ３  第３のスイッチ
ａ１、ａ２  第１のスイッチの入力端子
ａ３  第１のスイッチの出力端子
ｂ１  第２のスイッチの入力端子
ｂ２  第２のスイッチの出力端子
ｃ１  第３のスイッチの入力端子
ｃ２、ｃ３  第３のスイッチの出力端子
【図１】
0005458685.tif 000002
【図２】
0005458685.tif 000003
【図３】
0005458685.tif 000004
【図４】
0005458685.tif 000005
【図５】
0005458685.tif 000006
【図６】
0005458685.tif 000007
【図７】
0005458685.tif 000008
【図８】
0005458685.tif 000009
【図９】
0005458685.tif 000010
【図１０】
0005458685.tif 000011
【図１１】
0005458685.tif 000012
【図１２】
0005458685.tif 000013
【図１３】
0005458685.tif 000014